(57)【要約】【課題】籠を容易に回収できる籠の回収システムを提供すること。【解決手段】基端側がフロート９に固定されるロープ５と、そのロープ５の先端側に接続され内部に所定の充填物３が充填される籠２と、を備える人工漁礁１における籠２の回収システムである。水中１０２（水底部１０１）に設置された設置状態からの籠２の回収時に、ロープ５の基端側が引っ掛けられる滑車７を備えるので、籠２の回収時にロープ５の基端側が牽引された場合に、滑車７の回転によってロープ５を案内することができる。よって、籠２を容易に回収できる。【選択図】図２
0003228528.tif 000002
【実用新案登録請求の範囲】
【請求項１】
一端側が沿岸部または浮体に固定される索状体と、その索状体の他端側に接続され内部に所定の充填物が充填される籠と、その籠に接続され前記籠を水中の所定位置に留めるためのアンカーと、を備え、前記籠が、内外へ水を通過させる複数の開口部を有する人工漁礁における籠の回収システムにおいて、
水中に設置された設置状態からの前記籠の回収時に、前記索状体の一端側が引っ掛けられる第１プーリーを備え、
前記籠の回収時に前記索状体の一端側が牽引された場合に、前記第１プーリーの回転によって前記索状体が案内されることを特徴とする籠の回収システム。
【請求項２】
内外へ水を通過させる複数の開口部を有し内部に前記充填物を保持可能な袋体を備え、
前記袋体が前記籠に収容されることを特徴とする請求項１記載の籠の回収システム。
【請求項３】
前記袋体の開口部の開口寸法は、前記充填物の外形寸法よりも小さく設定されることを特徴とする請求項２記載の籠の回収システム。
【請求項４】
前記袋体の開口部の開口寸法は、５ｍｍ以上１００ｍｍ以下に設定されることを特徴とする請求項３記載の籠の回収システム。
【請求項５】
前記袋体は、生分解性樹脂を用いて形成され、
前記籠の開口部の開口寸法は、前記充填物の外形寸法よりも大きく設定されることを特徴とする請求項３又は４に記載の籠の回収システム。
【請求項６】
前記籠の開口部の開口寸法は、前記袋体の開口部の開口寸法よりも大きく設定されることを特徴とする請求項５記載の籠の回収システム。
【請求項７】
前記籠は、水底部から浮いた状態で水中に設置されることを特徴とする請求項６記載の籠の回収システム。
【請求項８】
前記籠に固定される第２プーリーを備え、
前記索状体の他端側は、前記設置状態において前記第２プーリーに引っ掛けられた状態で前記沿岸部または前記浮体に固定されることを特徴とする請求項１から７のいずれかに記載の籠の回収システム。
【請求項９】
前記索状体の一端側は、前記設置状態において前記第１プーリーに引っ掛けられた状態で前記沿岸部または前記浮体に固定されることを特徴とする請求項１から８のいずれかに記載の籠の回収システム。
【請求項１０】
前記沿岸部または前記浮体に設置され前記第１プーリーが固定される固定手段を備え、
前記索状体の一端側は、前記設置状態において前記第１プーリーに引っ掛けられた状態で前記固定手段に固定されることを特徴とする請求項９記載の籠の回収システム。
【請求項１１】
前記籠には、前記充填物として木炭が充填されることを特徴とする請求項１から１０のいずれかに記載の籠の回収システム。
【考案の詳細な説明】
【技術分野】
【０００１】
本考案は、籠の回収システムに関し、特に、籠を容易に回収できる籠の回収システムに関する。
【背景技術】
【０００２】
所定の充填物（例えば、木炭や貝殻等）を充填した籠を海底等の水中に設置することにより、人工漁礁を形成する技術が知られている。例えば、特許文献１には、籠に取り付けられたロープによって籠を回収する技術が記載されている。この技術によれば、籠を回収して内部の充填物を取り換えることにより、籠を繰り返し利用できる。
【先行技術文献】
【特許文献】
【０００３】
【特許文献１】実開平０５−７４２５９号公報（例えば、段落００１８、図４）
【考案の概要】
【考案が解決しようとする課題】
【０００４】
この種の人工漁礁において、籠を容易に回収できる技術が求められている。
【０００５】
本考案は、上記の要求に応えるためになされたものであり、籠を容易に回収できる籠の回収システムを提供することを目的としている。
【課題を解決するための手段】
【０００６】
この目的を達成するために本考案の籠の回収システムは、一端側が沿岸部または浮体に固定される索状体と、その索状体の他端側に接続され内部に所定の充填物が充填される籠と、その籠に接続され前記籠を水中の所定位置に留めるためのアンカーと、を備え、前記籠が、内外へ水を通過させる複数の開口部を有する人工漁礁におけるものであり、水中に設置された設置状態からの前記籠の回収時に、前記索状体の一端側が引っ掛けられる第１プーリーを備え、前記籠の回収時に前記索状体の一端側が牽引された場合に、前記第１プーリーの回転によって前記索状体が案内される。
【考案の効果】
【０００７】
請求項１記載の籠の回収システムによれば、次の効果を奏する。水中に設置された設置状態からの籠の回収時に、索状体の一端側が引っ掛けられる第１プーリーを備えるので、籠の回収時に索状体の一端側が牽引された場合に、第１プーリーの回転によって索状体を案内することができる。よって、籠を容易に回収できるという効果がある。
【０００８】
請求項２記載の籠の回収システムによれば、請求項１記載の籠の回収システムの奏する効果に加え、次の効果を奏する。内部に充填物を保持可能な袋体を備え、その袋体が籠に収容されるので、袋体に充填物が保持された状態で籠を回収した場合には、籠から袋体を取り出すことで多数の充填物をまとめて回収できる。よって、充填物の取り換えを容易にできるという効果がある。また、袋体は、内外へ水を通過させる複数の開口部を有しているため、袋体の内部の充填物に水中の藻類を付着させることができる。よって、袋体に保持された状態の充填物を籠に充填した場合であっても、籠の周囲に漁場を形成できるという効果がある。
【０００９】
請求項３記載の籠の回収システムによれば、請求項２記載の籠の回収システムの奏する効果に加え、次の効果を奏する。袋体の開口部の開口寸法は、充填物の外形寸法よりも小さく設定されるので、袋体の開口部から充填物が流れ出ることを抑制できる。よって、充填物が籠の内部に留まり易くなるので、籠の周囲に漁場が形成され易くなるという効果がある。
【００１０】
請求項４記載の籠の回収システムによれば、請求項３記載の籠の回収システムの奏する効果に加え、次の効果を奏する。袋体の開口部の開口寸法は、５ｍｍ以上１００ｍｍ以下に設定されるので、その開口寸法よりも大きい外形寸法の充填物を袋体で保持することにより、充填物が籠の内部に留まり易くなる。よって、籠の周囲に漁場が形成され易くなるという効果がある。
【００１１】
請求項５記載の籠の回収システムによれば、請求項３又は４に記載の籠の回収システムの奏する効果に加え、次の効果を奏する。袋体は、生分解性樹脂を用いて形成されるので、籠が水中に設置されてから所定時間が経過すると、袋体が水中の微生物によって分解される。籠の開口部の開口寸法は、充填物の外形寸法よりも大きく設定されるので、袋体が分解した場合には、袋体に保持されていた充填物が籠の開口部から水中に放出される。
【００１２】
よって、水中に設置されてから所定時間が経過した後に籠を回収することにより、その籠の内部の充填物は、水中に放出されて水底部に堆積する。所定時間が経過して藻類が多く付着した充填物を水底部に堆積させることにより、籠の回収後においても、その籠が設置されていた場所に漁場を形成できるという効果がある。
【００１３】
請求項６記載の籠の回収システムによれば、請求項５記載の籠の回収システムの奏する効果に加え、次の効果を奏する。籠の開口部の開口寸法は、袋体の開口部の開口寸法よりも大きく設定される。これにより、袋体の開口部の開口寸法よりも大きく、且つ、籠の開口部の開口寸法よりも小さい外形寸法の充填物を袋体で保持することにより、袋体が分解するまでの間は、充填物が籠の内部に留まり易くなる一方、袋体が分解した場合には、充填物の大半（又は全て）を籠の外部に放出させることができるという効果がある。
【００１４】
請求項７記載の籠の回収システムによれば、請求項６記載の籠の回収システムの奏する効果に加え、次の効果を奏する。籠は、水底部から浮いた状態で水中に設置されるので、籠から充填物が放出された場合には、索状体と、沿岸部または浮体との接続部分に加わる荷重が低減する。これにより、例えば、その荷重をセンサ等で計測することにより、袋体が分解されて充填物が籠から放出されたこと、即ち、籠が空になったことを容易に判別できるという効果がある。
【００１５】
請求項８記載の籠の回収システムによれば、請求項１から７のいずれかに記載の籠の回収システムの奏する効果に加え、次の効果を奏する。籠に固定される第２プーリーを備え、索状体の他端側は、設置状態において第２プーリーに引っ掛けられた状態で沿岸部または浮体に固定されるので、籠の回収時に索状体の一端側を牽引することにより、第２プーリーを動滑車として機能させることができる。よって、籠の回収時に必要となる力を低減できるという効果がある。
【００１６】
請求項９記載の籠の回収システムによれば、請求項１から８のいずれかに記載の籠の回収システムの奏する効果に加え、次の効果を奏する。索状体の一端側は、設置状態において第１プーリーに引っ掛けられた状態で沿岸部または浮体に固定されるので、籠の回収時に索状体を第１プーリーに引っ掛ける作業を不要にできる。即ち、籠の回収時には、沿岸部または浮体に対する固定状態を解除した索状体を牽引するだけで良いため、籠を容易に回収できるという効果がある。
【００１７】
請求項１０記載の籠の回収システムによれば、請求項９記載の籠の回収システムの奏する効果に加え、次の効果を奏する。沿岸部または浮体に設置され第１プーリーが固定される固定手段を備え、索状体の一端側は、設置状態において第１プーリーに引っ掛けられた状態で固定手段に固定される。これにより、第１プーリーを沿岸部または浮体に固定するための機能と、索状体の一端側を沿岸部または浮体に固定するための機能とを固定手段に兼用させることができるという効果がある。
【００１８】
請求項１１記載の籠の回収システムによれば、請求項１から１０のいずれかに記載の籠の回収システムの奏する効果に加え、次の効果を奏する。籠には、充填物として木炭が充填されるので、木炭に含まれるミネラルにより、貝類の生育に適した土壌が水底部に形成され易くなる。よって、貝類や、貝類を餌にする魚類が集まり易くなるので、漁場が形成され易くなるという効果がある。
【図面の簡単な説明】
【００１９】
【図１】（ａ）は、第１実施形態における人工漁礁を構成する籠の正面斜視図であり、（ｂ）は、充填物が充填される様子を示す籠の正面斜視図である。
【図２】（ａ）は、籠を水底部に設置する様子を示す人工漁礁の模式図であり、（ｂ）は、籠が水底部に設置された状態を示す人工漁礁の模式図であり、（ｃ）は、籠を水底部から回収する様子を示す人工漁礁の模式図である。
【図３】（ａ）は、籠を水中に設置する様子を示す人工漁礁の模式図であり、（ｂ）は、籠が水中に設置された状態を示す人工漁礁の模式図であり、（ｃ）は、籠が水中に設置されてから所定時間が経過した状態を示す人工漁礁の模式図である。
【考案を実施するための形態】
【００２０】
以下、本考案の好ましい実施の形態について、添付図面を参照して説明する。まず、図１及び図２を参照して、本考案の第１実施形態における人工漁礁１の全体構成について説明する。
【００２１】
図１（ａ）は、第１実施形態における人工漁礁１を構成する籠２の正面斜視図であり、図１（ｂ）は、充填物３が充填される様子を示す籠２の正面斜視図である。図２（ａ）は、籠２を水底部１０１に設置する様子を示す人工漁礁１の模式図であり、図２（ｂ）は、籠２が水底部１０１に設置された状態を示す人工漁礁１の模式図であり、図２（ｃ）は、籠２を水底部１０１から回収する様子を示す人工漁礁１の模式図である。なお、図面を簡素化するために、図１では、籠２の網目２２の図示を一部省略しており、図２では、人工漁礁１を模式的に図示している。
【００２２】
図１及び図２に示すように、人工漁礁１は、充填物３を充填した籠２を海１００の水底部１０１に設置し、籠２の周囲に漁場を形成するための漁礁である。充填物３が充填される籠２を水底部１０１に設置することで充填物３に藻類（海藻）が付着し、その藻類を餌とする魚類や貝類が集まることにより、籠２の周囲に漁場が形成される。
【００２３】
籠２は、上面が開放される直方体状の本体部２０と（図１参照）、その本体部２０の上面の開閉部分を開閉する矩形の開閉部２１と、を備え、金網を用いて形成される。開閉部２１は、図示しない蝶番によって本体部２０の上面の開放部分に軸支されており、その蝶番の軸回りに開閉部２１が回転することにより、本体部２０の開放部分が開閉される。また、本体部２０に対する開閉部２１の閉塞状態は、図示しない錠前によってロック可能に構成されている。
【００２４】
籠２に充填される複数の充填物３は、粒径（外形寸法）が３０ｍｍ以上の木炭（塊炭）である。充填物３は袋体４によって保持され、その袋体４が籠２の本体部２０に収容されることにより、籠２に充填物３が充填される。袋体４は、柔軟性を有する生分解性樹脂を用いて形成される網袋であり、袋体４の図示しない口から充填物３が詰め込まれ、その袋体４の口を閉じる（例えば、袋体４の口を縛る）ことで袋体４の内部に充填物３が保持される。
【００２５】
袋体４の網目４０の開口寸法Ｌ１は、充填物３の粒径よりも小さく（本実施形態では、２０ｍｍに）設定されており、袋体４の網目４０から充填物３が流れ落ち難くなっている。一方、籠２の本体部２０や開閉部２１の網目２２の開口寸法Ｌ２は、充填物３の粒径よりも大きく（本実施形態では、６０ｍｍに）設定されている。これは、生分解性樹脂製の袋体４が分解された際に、充填物３を籠２から放出させるためであるが（図２（ｃ）参照）、詳細については後述する。
【００２６】
籠２の上面（開閉部２１）にはＵ字状の吊金具２３が固定されており、この吊金具２３にロープ５が取り付けられることにより、水底部１０１への籠２の設置や水底部１０１からの籠２の回収が行われる。この籠２の設置や回収方法（籠の回収システム）について、図２を参照して説明する。
【００２７】
図２に示すように、籠２を水底部１０１に設置するための船舶Ｓには、Ｌ字状の支柱６と、その支柱６に固定される滑車７と、その滑車７に引っ掛けられたロープ５を牽引するためのウインチ８と、が設けられる。
【００２８】
船舶Ｓの端部に設けられた支柱６に滑車７が吊り下げされ、この滑車７にロープ５の基端側（一端側）が引っ掛けられた状態でウインチ８に巻回される。よって、ロープ５の先端側（他端側）に籠２を接続し、ロープ５を引き出すようにしてウインチ８を回転させることにより、ロープ５が滑車７に案内されながら籠２が水中１０２を降下する（図２（ａ）参照）。
【００２９】
籠２が水底部１０１まで降下した後、ロープ５の基端側をウインチ８から取り外してフロート９に接続し、そのフロート９を海１００に投げ入れることで籠２の設置が完了する（図２（ｂ）参照）。フロート９は、籠２の設置位置を示すためのブイ（浮標）である。この設置状態においては、籠２に接続されるアンカー１０によって籠２の移動が制限されており、籠２が水底部１０１の所定位置（設置場所）に留められる。
【００３０】
籠２の内部には、袋体４（図１参照）に保持された充填物３が充填されているが、籠２の網目２２と同様、袋体４にも内外へ水を通過させる複数の網目４０が形成されている。よって、籠２の網目２２及び袋体４の網目４０に海水が通過可能となっているため、袋体４に保持された充填物３に藻類を付着させることができる。よって、籠２を水底部１０１に設置後、所定時間（充填物３に付着した藻類の生育に十分な時間）が経過すると、その藻類（海藻）を餌にする魚介類が籠２の周囲に集まるため、籠２の周囲に良好な漁場を形成できる。
【００３１】
籠２が水底部１０１に設置された設置状態においては、ロープ５の基端側がフロート９の固定されているため、籠２を回収する際には、フロート９から取り外したロープ５の基端側を船舶Ｓ上のウインチ８によって牽引する（図２（ｃ）参照）。この際、船舶Ｓには滑車７が設けられているため、その滑車７に引っ掛けたロープ５をウインチ８で牽引することにより、その牽引されるロープ５を滑車７によって案内できる。また、ウインチ８ではなく、人力でロープ５を牽引する場合においても、その牽引されるロープ５を滑車７で案内できる。このように、船舶Ｓに滑車７を設け、その滑車７に引っ掛けたロープ５の基端側をウインチ８や人力で牽引することにより、籠２を容易に回収できる。
【００３２】
ここで、上述した通り、籠２の内部には袋体４に保持された充填物３が充填されているが、その袋体４が生分解性樹脂を用いて形成されているため、籠２を水底部１０１に設置してから所定時間が経過すると袋体４が水中１０２の微生物によって分解される。この場合、籠２の網目２２の開口寸法Ｌ２（図１参照）は、充填物３の粒径（外形寸法）よりも大きく設定されるので、袋体４が分解した場合には、袋体４に保持されていた充填物３が籠２の網目２２から外部に放出される。
【００３３】
よって、籠２を水底部１０１に設置した状態から回収した場合、籠２から水中１０２に放出された充填物３が水底部１０１に堆積するようになっている（図２（ｃ）参照）。籠２を水底部１０１に設置してから所定時間後の充填物３には藻類（海藻）が付着しているため、その藻類が付着した充填物３が水底部１０１に堆積することにより、籠２を回収した後においても、その籠２が設置されていた場所（堆積した充填物３の周囲）に漁場を形成できる。
【００３４】
このように、本実施形態では、充填物３に付着した藻類が十分に生育するまでの間（以下、「藻類の生育時間」と記載する）、籠２の内部に充填物３を留めておく一方、藻類の生育時間の経過後は、籠２から充填物３を放出させるように構成されている。つまり、充填物３を保持する袋体４は、藻類の生育時間が経過するまでの間、籠２から充填物３が流れ出ないようにするためのものである。
【００３５】
この場合、袋体４の網目４０の開口寸法Ｌ１（図１参照）が充填物３の粒径よりも多少大きい場合であっても、ある程度は充填物３の流出は防止できる。しかし、本実施形態では、藻類の生育時間が経過するまでの間は籠２の内部に充填物３を確実に留めておくために、袋体４の網目４０の開口寸法Ｌ１が充填物３の粒径（外形寸法）よりも小さく設定されている。これにより、藻類の生育時間中に充填物３が袋体４の網目４０から流れ出ることを抑制できるので、充填物３に付着した藻類を十分に生育させた上で、充填物３を籠２の外部に放出することができる。よって、籠２を回収した後においても、水底部１０１に堆積した充填物３の周囲に良好な漁場を形成できる。
【００３６】
なお、袋体４の網目４０の開口寸法Ｌ１は、充填物３の粒径よりも小さいことが好ましいが、例えば、５ｍｍ以上１００ｍｍ以下に設定すれば良い。その網目４０の開口寸法Ｌ１よりも大きい粒径の充填物３を袋体４で保持すれば、籠２の内部に充填物３が留まり易くなる。
【００３７】
一方、藻類の生育時間の経過後に籠２を回収する際には、全ての充填物３を籠２の外部に放出することが好ましいため、籠２の網目２２の開口寸法Ｌ２（図１参照）は、袋体４の網目４０の開口寸法Ｌ１（即ち、充填物３の外形寸法）よりも大きく設定されている。これにより、袋体４の分解後に籠２を回収した場合には、藻類が付着した充填物３の大半（又は全て）を籠２の外部に放出させることができる。よって、水底部１０１に堆積した充填物３の周囲に良好な漁場を形成できる。
【００３８】
また、木炭からなる充填物３が水底部１０１に堆積するため、木炭に含まれるミネラルにより、貝類の生育に適した土壌が水底部１０１に形成され易くなる。よって、その貝類や、貝類を餌にする魚類が集まり易くなるので、水底部１０１に堆積した充填物３の周囲に漁場が形成され易くなる。
【００３９】
なお、籠２の回収は、袋体４が分解される前、即ち、袋体４に充填物３が保持された状態で行っても良い。袋体４に充填物３が保持された状態で籠２を回収した場合には、籠２から袋体４を取り出すことで多数の充填物３をまとめて回収できる。また、回収した籠２は、再度充填物３を充填して回収前と同じ場所に設置しても良いし、回収前とは異なる場所に設置しても良い。いずれの場合においても籠２を繰り返し利用することができる。また、籠２を設置する場合、滑車７やウインチ８を用いることなく、籠２を海１００に投げ入れても良い。
【００４０】
次いで、図３を参照して、第２実施形態について説明する。第１実施形態の人工漁礁１（籠の回収システム）では、水底部１０１に設置される設置状態において籠２がフロート９に接続される場合を説明した。これに対して第２実施形態の人工漁礁２０１（籠の回収システム）では、かかる設置状態において籠２が海１００の沿岸部１０３に接続される場合について説明する。なお、上述した第１実施形態と同一の部分には同一の符号を付してその説明を省略する。
【００４１】
図３（ａ）は、籠２を水中１０２に設置する様子を示す人工漁礁２０１の模式図であり、図３（ｂ）は、籠２が水中１０２に設置された状態を示す人工漁礁２０１の模式図であり、図３（ｃ）は、籠２が水中１０２に設置されてから所定時間が経過した状態を示す人工漁礁２０１の模式図である。なお、図面を簡素化するために、図３では、人工漁礁２０１を模式的に図示している。
【００４２】
図３に示すように、第２実施形態の人工漁礁２０１（籠の回収システム）は、充填物３を充填した籠２が海１００の水中１０２に浮いた状態で設置される。このように、籠２を水中１０２に浮いた状態で設置することにより、その設置高さでの生育に適した魚類が籠２の周囲に集まり易くなる。
【００４３】
籠２の上面には滑車２２４が固定され、ロープ５の先端側は、滑車２２４に引っ掛けられた状態で沿岸部１０３に固定される。沿岸部１０３は、海１００に形成される防波堤である。
【００４４】
沿岸部１０３の端部に設けられた支柱６には滑車７が吊り下げされ、籠２を水中に設置する際には（図２（ａ）参照）、滑車７にロープ５の基端側が引っ掛けられた状態でウインチ（図示せず）に巻回される。よって、ロープ５を引き出すようにしてウインチを回転させることにより、ロープ５の先端側に接続された籠２が降下して水中１０２に設置される。
【００４５】
この場合、籠２の上面には滑車２２４が固定され、ロープ５の先端側が滑車２２４に引っ掛けられた状態で沿岸部１０３に固定されているため、滑車２２４を動滑車として機能させることができる。よって、ロープ５を支えながら籠２を降下させる（籠２をゆっくりと降下させる）場合や、ロープ５を牽引して籠２の回収する場合に必要となる力を低減できる。よって、例えば、人力で籠２の設置や回収を行う場合に、それらの作業における労力を低減できる。
【００４６】
籠２を水中１０２に設置後、ロープ５の基端側をウインチ（図示せず）から取り外して支柱６に固定することで籠２の設置が完了する（図２（ｂ）参照）。このように、ロープ５の基端側を滑車７に引っ掛けた状態で支柱６に固定することにより、籠２の回収時にロープ５を滑車７に引っ掛ける作業を不要にできる。即ち、籠２の回収時には、支柱６に対する固定状態を解除したロープ５を牽引するだけで良いため、籠２を容易に回収できる。
【００４７】
更に、ロープ５の基端側を滑車７に引っ掛けた状態で支柱６に固定することにより、滑車７を沿岸部１０３に固定するための機能と、ロープ５の基端側を沿岸部１０３に固定するための機能とを支柱６に兼用させることができる。
【００４８】
また、上述した第１実施形態と同様、籠２の網目２２の開口寸法Ｌ２（図１参照）は、充填物３の粒径（外形寸法）よりも大きく設定されているため、籠２を水中１０２に設置してから藻類の生育時間が経過すると、袋体４（図１参照）が微生物によって分解されて充填物３が籠２の外部に放出される（図３（ｃ）参照）。本実施形態では、籠２が水中１０２に浮いた状態で設置されるため、袋体４が分解されると、籠２から放出された充填物３が水底部１０１に向けて降下する。これにより、藻類が付着した充填物３を水底部１０１に堆積させることができるので、その堆積した充填物３の周囲に漁場を形成できる。
【００４９】
更に、籠２が水中１０２に浮いた状態で設置されているため、籠２から充填物３が放出された場合には、ロープ５の両端側と沿岸部１０３（支柱６や滑車７）との接続部分に加わる荷重が低減する。これにより、例えば、その荷重を計測する（荷重の変化を監視する）センサ等を設けることにより、袋体４が分解されて充填物３が籠２から放出されたこと、即ち、籠２が空になったことを容易に判別できる。よって、水中１０２に潜って籠２の状態を確認することなく、籠２を回収するタイミングであるか否かを容易に判断できる。
【００５０】
以上、上記実施形態に基づき本考案を説明したが、本考案は上記実施形態に何ら限定されるものではなく、本考案の趣旨を逸脱しない範囲内で種々の改良変形が可能であることは容易に推察できるものである。
【００５１】
上記各実施形態では、籠２の設置場所として海１００を例示したが、必ずしもこれに限られるものではない。例えば、川、湖または干潟に籠２を設置しても良い。干潟に籠２を設置した場合には、干潮時に陸地となった水底部に籠２が露出するので、籠２を回収すべき時期であるか否かを容易に判別できる。
【００５２】
上記各実施形態では、籠２が設置される沿岸部１０３の一例として防波堤を例示したが、必ずしもこれに限られるものではない。例えば、沿岸部１０３の他の例として、堤防や岩場が例示される。即ち、沿岸部１０３とは、水域沿いに位置する場所であって、籠２の設置や回収作業を行うことができる場所である。
【００５３】
上記各実施形態では、籠２が金網を用いて形成される網籠である場合を説明したが、必ずしもこれに限られるものではない。例えば、金属製のフレームを用いて籠２を形成しても良い。即ち、籠２は、少なくとも籠２の内外に水が通過可能な開口部を有し、且つ、充填物３を保持できる枠体であれば良い。
【００５４】
上記各実施形態では、籠２に充填される充填物３の一例として木炭を例示したが、必ずしもこれに限られるものではない。例えば、充填物３は、貝殻、木材またはコンクリート等、公知の人工漁礁に用いられる充填物であっても良い。
【００５５】
上記各実施形態では、籠２の網目２２の開口寸法Ｌ２が、袋体４の網目４０の開口寸法Ｌ１（充填物３の外形寸法）よりも大きい場合を説明したが、必ずしもこれに限られるものではない。例えば、籠２の網目２２の開口寸法Ｌ２は、袋体４の網目４０の開口寸法Ｌ１（充填物３の外形寸法）と同一、又はそれより小さく設定しても良い。
【００５６】
なお、籠２や袋体４の網目２２，４０の開口寸法Ｌ１，Ｌ２とは、網目２２，４０（開口部）の内周に内接するように描いた円のうち、最大となる円の直径である。また、充填物３の外形寸法とは、充填物３の表面に外接するように描いた円のうち、最小となる円の直径であり、例えば、充填物３が細長い円柱状であれば、その円柱の直径が充填物３の外形寸法である。
【００５７】
上記各実施形態では、袋体４に保持された充填物３を籠２に充填する場合を説明したが、必ずしもこれに限られるものではない。例えば、袋体４を省略し、充填物３を籠２に直接充填しても良い。
【００５８】
上記各実施形態では、袋体４の網目４０の開口寸法Ｌ１が充填物３の外形寸法よりも小さい場合を説明したが、必ずしもこれに限られるものではない。例えば、袋体４の網目４０の開口寸法Ｌ１は、充填物３の外形寸法と同一、又はそれより大きく設定しても良い。即ち、袋体４の網目４０の開口寸法Ｌ１は、充填物３の形状に応じて適宜設定すれば良く、袋体４によって多数の充填物３を保持できる（袋体４の外部に充填物３が流出しない）程度の寸法に設定すれば良い。
【００５９】
上記各実施形態では、袋体４が生分解性樹脂を用いて形成される場合を説明したが、必ずしもこれに限られるものではない。例えば、袋体４は、生分解性樹脂以外の材料であって、実質的に微生物によって分解されない材料（例えば、合成樹脂製の繊維、植物性の繊維または金属製の網等）を用いて形成しても良い。微生物によって分解されない材料を用いて袋体４を形成した場合には、袋体４に充填物３が保持された状態で籠２を回収できるので、籠２から袋体４を取り出すことで多数の充填物３をまとめて回収できる。よって、充填物３の取り換えを容易にできる。
【００６０】
上記各実施形態では、袋体４が網袋である場合を説明したが、必ずしもこれに限られるものではない。例えば、袋体４は、少なくとも袋体４の内外に水が通過可能な開口部を有し、且つ、充填物３を保持できる袋状であれば良い。
【００６１】
上記各実施形態では、籠２に接続される索状体の一例としてロープ５を例示したが、必ずしもこれに限られるものではない。例えば、鎖等、他の索状体を籠２に接続する構成でも良い。
【００６２】
上記各実施形態では、籠２の回収時にロープ５を案内する第１プーリーとして、滑車７（それ自体が動力を持たず、ロープ５に従動するもの）を例示したが、必ずしもこれに限られるものではない。例えば、第１プーリーの他の例として、公知のガイドローラーや、回転可能な動力を有するプーリーが例示される。
【００６３】
上記各実施形態では、滑車７が支柱６（固定手段）に固定される場合を説明したが、必ずしもこれに限られるものではない。例えば、滑車７を支柱６に着脱可能に構成することは当然可能である。よって、例えば、上記第１実施形態において、支柱６から取り外した滑車７をフロート９に固定する構成でも良い。この構成の場合には、ロープ５の基端側を滑車７に引っ掛けた（巻き付けた）状態で固定すれば良い。また、上記第２実施形態において滑車７を支柱６に着脱可能とする場合には、設置状態においてロープ５の基端側を滑車７から取り外して支柱６（沿岸部１０３）に固定する構成でも良い。
【００６４】
上記各実施形態では、滑車７が固定される固定手段としてＬ字状の支柱６を例示したが、必ずしもこれに限られるものではない。ロープ５を案内可能な状態で滑車７を固定できるものであれば、固定手段は公知の構成を採用できる。
【００６５】
上記第１実施形態では、ロープ５の基端側が接続される浮体として、ブイからなるフロート９を例示したが、必ずしもこれに限られるものではない。例えば、メガフロートのような人の足場となり得るフロートにロープ５を接続する構成でも良い。この構成の場合には、第２実施形態と同様、滑車７を固定するための支柱６（固定手段）をフロートに設け、ロープ５の基端側を滑車７に引っ掛けた状態で支柱６に固定しても良い。
【符号の説明】
【００６６】
１，２０１    人工漁礁
２            籠
２２          網目（開口部）
２２４        滑車（第２プーリー）
３            充填物
４            袋体
４０          網目（開口部）
５            ロープ（索状体）
６            支柱（固定手段）
７            滑車（第１プーリー）
９            フロート（浮体）
１０          アンカー
１０１        水底部
１０２        水中
１０３        沿岸部
Ｌ１          袋体の網目（開口部）の開口寸法
Ｌ２          籠の網目（開口部）の開口寸法
【図１】
0003228528.tif 000003
【図２】
0003228528.tif 000004
【図３】
0003228528.tif 000005